(57)【要約】【課題】一度の操作で第１及び第２サイド規制部材を確実に固定及び解除することが可能で、操作性を良好にしたシートカセット及び画像形成装置を提供する。【解決手段】シートカセット１は、シートを積載可能なカセット本体１ａと、カセット本体１ａに支持され、カセット本体１ａに積載されたシートの両端部を規制するために接離する方向に相互に連動して移動可能な第１サイド規制板２及び第２サイド規制板４と、第１及び第２サイド規制板２，４を一体的にロックするロック手段（３，５，６，１９，２０）とを備えている。これにより、一度の操作で、第１及び第２サイド規制板２，４を確実に固定及び解除することが可能になる。【選択図】図２
2014114126.tif 000002
【特許請求の範囲】
【請求項１】
シートを積載可能なカセット本体と、
前記カセット本体に支持され、前記カセット本体に積載されたシートの両端部を規制するために接離する方向に相互に連動して移動可能な第１サイド規制部材及び第２サイド規制部材と、
前記第１及び第２サイド規制部材を一体的にロックするロック手段と、を備える、
ことを特徴とするシートカセット。
【請求項２】
前記ロック手段は、
前記第１サイド規制部材に回動操作可能に設けられたロック操作部材と、
前記カセット本体に設けられた第１係止部と、
前記第２サイド規制部材から前記第１係止部に隣接する位置まで延長された第２係止部と、
前記ロック操作部材の回動操作に連動して前記第１係止部と前記第２係止部とに同時に係止及び解除可能な係止解除部材と、を有する、
ことを特徴とする請求項１記載のシートカセット。
【請求項３】
前記第１係止部及び前記第２係止部は、それぞれ第１ノコギリ歯部を有し、
前記係止解除部材は、前記第１ノコギリ歯部と係止自在な第２ノコギリ歯部を有し、
前記第２ノコギリ歯部は、
前記第１及び第２サイド規制部材の間隔を狭くする方向には、前記第１ノコギリ歯部を乗り越えて移動可能で、前記第１及び第２サイド規制部材の間隔を広くする方向には移動不能に形成されている、
ことを特徴とする請求項２記載のシートカセット。
【請求項４】
前記第１係止部は、前記カセット本体に固定され、前記第２係止部は、前記第２サイド規制部材から一体に延設された支持部に支持されている、
ことを特徴とする請求項２記載のシートカセット。
【請求項５】
前記第１サイド規制部材と前記第２サイド規制部材とを連動させる連動機構を備え、前記連動機構は、各サイド規制部材に設けられたラック部と、該ラック部に噛み合うギヤ部材とで構成され、前記支持部は、前記第２サイド規制部材のラック部から延長されて設けられている、
ことを特徴とする請求項４記載のシートカセット。
【請求項６】
請求項１乃至５のいずれか１項記載のシートカセットと、
前記シートカセットから送り出されたシートに画像を形成する画像形成部と、を備える、
ことを特徴とする画像形成装置。
【発明の詳細な説明】
【技術分野】
【０００１】
本発明は、シートを収納するシートカセット、及びシートカセットを備えた画像形成装置に関する。
【背景技術】
【０００２】
従来、シートを画像形成部に給送して文字や画像を印字する複写機やプリンタ等の画像形成装置は、記録紙としてのシートを画像形成部に給送するためのシート給送装置を備えている。
【０００３】
このようなシート給送装置には、一般に、シートを収納するシートカセットと、このシートカセットからシートを送り出す給送ローラ等のシート給送部が設けられている。
【０００４】
シートカセットの画像形成装置への着脱方向に関しては、シートの給送方向と同じ方向にシートカセットの着脱を行うサイドローディングと呼ばれる方式がある。また、シート給送方向と直交する方向にシートカセットの着脱を行うフロントローディングタイプ方式がある。なお、一般的には、シートカセットを着脱する方向が画像形成装置の正面であり、正面で画像形成装置の操作が行われる。
【０００５】
シートカセットは、複数のシートサイズに対応するために、シート幅方向位置を規制するサイド規制板と、シート給送方向におけるシートの後端位置を規制する後端規制板とを移動可能に有している。
【０００６】
そして、収納されるシートのサイズに合わせてサイド規制板及び後端規制板を移動させることにより、収納されるシートの位置を規制する。左右のサイド規制板は、一方の第１サイド規制板を移動させると他方の第２サイド規制板が連動するように連動機構が設けられている。例えば、連動機構として、各サイド規制板にラック部を有し、左右のラック部を、ギヤ部材を介して連動させる構成とし、第１サイド規制板を移動させることによって第２サイド規制板が連動する。
【０００７】
サイド規制板は、シートを規制する位置でずれないようにするために固定する必要がある。従来の技術では、第１サイド規制板にのみ固定手段を設けて、第２サイド規制板は連結機構を介して保持する構成がある。
【０００８】
第１サイド規制板にのみ固定手段を設けた構成の一例としては、カセット本体と、第１サイド規制板に設けたストッパとの夫々に山形形状（ギザギザ形状）を設けておき、第１ストッパをバネによりカセット本体側の山形形状に付勢して噛み合わせることで固定する。この構造において固定を解除する場合には、操作レバーを操作してバネ付勢力に抗してストッパを移動させ、山形形状の噛み合わせを解除してサイド規制板を移動可能な状態にする。
【０００９】
しかし、第１サイド規制板のみを固定する構成では、第２サイド規制板はラック部とギヤ部材とを介して位置が決まるため、ラック部とギヤ部材との噛み合い部のバックラッシュの分だけ第２サイド規制板は位置がずれることがある。そのため、シート給送中に第２サイド規制板の位置ずれが発生すると、画像形成部での画像の位置とシートの位置との間でずれが生じ、画像不良を招くおそれがある。
【００１０】
そこで、第２サイド規制板にも第１サイド規制板と同様の固定手段を設ける構成が提案されており、第１及び第２サイド規制板のそれぞれに固定手段を設け、それぞれの固定手段を操作して第１及び第２サイド規制板を固定する（特許文献１参照）。
【先行技術文献】
【特許文献】
【００１１】
【特許文献１】特開２００６−１３７５９７号公報
【発明の概要】
【発明が解決しようとする課題】
【００１２】
特許文献１記載のように、第１サイド規制板だけでなく第２サイド規制板も固定する技術では、サイド規制板を移動する際に第２サイド規制板の固定を解除し、移動が終わった時点で再び固定するという煩雑な操作が必要になる。
【００１３】
そのため、操作回数が増えて操作が煩雑になる上、いずれかのサイド規制板を固定しなかった場合には、固定されないサイド規制板は、ラック部とギヤ部材を介して位置を決めることになる。そのため、一方のサイド規制板にのみ固定手段を設けた構成と同様に、ラック部とギヤ部材との連結で必要とするバックラッシュの分だけ第２サイド規制板の位置がずれるおそれがある。
【００１４】
本発明は、一度の操作で第１及び第２サイド規制部材を確実に固定及び解除することが可能で、操作性を良好にしたシートカセット及び画像形成装置を提供することを目的とする。
【課題を解決するための手段】
【００１５】
本発明は、シートカセットにおいて、シートを積載可能なカセット本体と、前記カセット本体に支持され、前記カセット本体に積載されたシートの両端部を規制するために接離する方向に相互に連動して移動可能な第１サイド規制部材及び第２サイド規制部材と、前記第１及び第２サイド規制部材を一体的にロックするロック手段と、を備えることを特徴とする。
【発明の効果】
【００１６】
本発明によると、一度の操作で第１及び第２サイド規制部材の両方を確実に固定及び解除することが可能であるため、操作性を良好にしたシートカセット及び画像形成装置を提供することができる。
【図面の簡単な説明】
【００１７】
【図１】本発明の実施形態に係るシートカセットの構成を示す平面図。
【図２】（ａ），（ｂ）は本実施形態における第１サイド規制板の構成を示す斜視図。
【図３】（ａ）〜（ｄ）は本実施形態における第１及び第２ストッパの動作を示す断面図。
【図４】（ａ），（ｂ）は本実施形態における第１及び第２ストッパの係止部を示す詳細図。
【図５】本実施形態に係るシートカセットを搭載した画像形成装置の断面図。
【発明を実施するための形態】
【００１８】
以下、図面を参照して、本発明の好適な実施形態について例示的に詳しく説明する。なお、図５は、本発明の実施形態に係るシートカセット１を備えた画像形成装置１００の概略構成を示す断面図である。
【００１９】
［画像形成装置］
図５において、１００は画像形成装置、１０１は画像形成装置本体（以下、装置本体という）である。この装置本体１０１の上部には、自動原稿給送装置１２０と、この給送装置１２０によりプラテンガラス１２０ａ上に載置された原稿を読み取る画像読み取り部１３０とが配設されている。
【００２０】
また、画像読み取り部１３０の下方には、シートカセット１から送り出されたシートＳに画像を形成する画像形成部１０２と、画像形成部１０２にシートＳを給送するシート給送装置１１とが配設されている。ここで、画像形成部１０２には、感光体ドラム１１２、現像器１１３、レーザスキャナユニット１１１等が設けられている。
【００２１】
また、シート給送装置１１は、ＯＨＴ等のシートＳを収容して装置本体１０１に着脱自在な複数のシートカセット１、及びシートカセット１に収納されたシートＳを送り出す給送ローラ１５等を備えている。シートカセット１は、装置本体１０１に対する装着方向ｂ（図１参照）に移動可能でかつ装置本体１０１に着脱可能で、シートＳを積載可能なカセット本体１ａ（図１参照）を有している。
【００２２】
次に、上記構成を有する画像形成装置１００の画像形成動作について説明する。まず、シートカセット１は、図５の手前方向に引き出し可能に設けられ、画像を形成する紙やＯＨＴ等のシートがユーザによってセットされる。
【００２３】
そして、制御部１４から画像読取部１３０に画像読取信号が出力されると、画像読取部１３０によって画像が読み取られる。画像読取部１３０で読み取られた画像情報、或いは、不図示の外部接続ケーブルから伝送されてきた画像情報は、制御部１４によって処理される。制御部１４は、装置本体１０１に設けられ、画像形成装置１００の装置各部を統括的に制御する。
【００２４】
この後、レーザスキャナユニット１１１から、電気信号に対応したレーザ光が感光体ドラム１１２上に照射される。このとき感光体ドラム１１２は、予め帯電されており、光が照射されることによって静電潜像が形成され、次いで静電潜像を現像器１１３によって現像することにより、感光体ドラム上にトナー像が形成される。
【００２５】
一方、制御部１４から給送信号がシート給送装置１１に出力されると、給送ローラ１５が回転し、シートカセット１からシートＳが送り出される。この後、給送されたシートＳは、レジストレーションローラ１１７により感光体ドラム上のトナー画像と同期を取って感光体ドラム１１２と転写帯電器１１８とにより構成される転写部に送られる。
【００２６】
次に、このように転写部に送られたシートＳは、トナー像が転写された後、定着部１１４に搬送される。この後、定着部１１４により加熱及び加圧されることにより、シートＳに未定着転写画像が定着される。そして、画像が定着されたシートは排出ローラ１１６により、装置本体１０１から排紙トレイ１１９に排出される。
【００２７】
シート給送装置１１によりシートを給送する際には、不図示のリフトアップ機構（シート上昇機構）によりリフタ（押し上げ板）８（図１）を上方回動させ、中板２２（図１）に載置されたシートのシート給送方向の下流側端部を給送可能な高さまで持ち上げる。これにより、シートＳが、給送ローラ１５に所定の圧力で圧接する。
【００２８】
この後、給送ローラ１５の回転により、最上部のシートＳが給送される。このように給送ローラ１５から給送されたシートＳは、フィードローラ１６及びリタードローラ１７により１枚ずつ分離して搬送され、レジストレーションローラ１１７に送られる。
【００２９】
［シート給送装置］
次に、本実施形態に係るシートカセット１を備えたシート給送装置１１について説明する。図１は、本実施形態に係るシートカセット１を示す平面図である。なお、本実施形態では、図５に示したようにシートカセット１は４箇所に配置されているが、これらの構造は略同一である。
【００３０】
シートカセット１は、装置本体１０１に対してシート給送方向と直交する方向（図５の手前−奥方向）に引き出し可能に装着される。なお、図１中、矢印ａは、装置本体１０１からシートカセット１を引き出す引出し方向を示し、矢印ｂは、装置本体１０１にシートカセット１を装着する装着方向を示している。また、矢印ｄは、シートカセット１に収納されているシートＳを給送するシート給送方向を示している。
【００３１】
シートカセット１は、上部が開口する箱状のカセット本体１ａと、カセット本体１ａの装置本体１０１への装着時の手前側（図１の下側）に設けられた把手部２１とを有している。シートカセット１は、シートを積載可能なカセット本体１ａ内に配置され、シートのシート給送方向ｄと直交する幅方向の側端部の位置を規制する、第１サイド規制部材としての第１サイド規制板２と第２サイド規制部材としての第２サイド規制板４を有する。
【００３２】
両サイド規制板２，４は、カセット本体１ａに支持され、カセット本体１ａに積載されたシートの装着方向ｂの両端部（シート給送方向ｄと直交する幅方向の両端部）を規制可能となるように、互いに連動して同じ距離ずつ接近又は離間するように構成される。つまり、第１及び第２サイド規制板２，４は、シートの側端部の位置に合わせて幅方向に移動可能にカセット本体１ａに支持され、カセット本体１ａに積載されたシートの両端部を規制するために接離する方向に相互に連動して移動可能に構成されている。
【００３３】
また、シートカセット１は、シートＳのシート給送方向ｄの上流端部（図１の左側端部）である後端部の位置を規制する後端規制板１３と、シートＳを積載する中板２２と、この中板２２を押し上げるリフタ８とを有している。後端規制板１３は、シートの後端部の位置に合わせてシート給送方向に移動可能にカセット本体１ａに配置されている。
【００３４】
第１サイド規制部材としての第１サイド規制板２にはラック部２ａが、第２サイド規制部材としての第２サイド規制板４にはラック部４ａが、それぞれ一体的に設けられている。カセット本体１ａには、ラック部２ａ，４ａに噛み合うように２つのピニオンギヤ（ギヤ部材）７ａ，７ａが回転自在に設けられている。これらにより、連動機構としてのラックアンドピニオン機構が構成されている。
【００３５】
第１及び第２サイド規制板２，４の一方をシート給送方向と直交する方向（図１の上下方向）に移動させることにより、これら規制板２，４を、互いに離間或いは接近するように同じ移動量だけ移動させることができる。
【００３６】
シート給送装置１１は、カセット本体１ａに収納されているシートＳのサイズを検知するサイズ検知部を備えている。サイズ検知部は、例えば２つのサイズ検知レバーと、例えば４つのボタンスイッチを有するスイッチユニットとを備えている。スイッチユニットのボタンスイッチによるＯＮ／ＯＦＦの信号が制御部１４に送られると、制御部１４は、この信号に基づいてカセット本体１ａに収納されているシートＳのサイズを判別する。
【００３７】
そして、シートカセット１にシートＳをセットする場合は、第１サイド規制板２をシートＳの幅に合った位置に移動させる。すると、第１サイド規制板２の移動によりピニオンギヤ７ａ，７ａが回転し、この回転に合わせてピニオンギヤ７ａ及びラック部４ａを介して第２サイド規制板４が、第１サイド規制板２と逆の方向に第１サイド規制板２が移動した距離と同じ距離で移動する。
【００３８】
以上のように、第１サイド規制板２と第２サイド規制板４をシートＳの幅に合わせて移動させた後、リフタ８にシートＳを積載して、シートカセット１を装置本体１０１に装着・収納する。シートカセット１が装置本体１０１に装着されると、不図示のリフトアップ機構によりリフタ８が最上シートを給送可能な位置まで上昇させた後に停止して、給送開始に備える。
【００３９】
次に、図２（ａ），（ｂ）及び図３（ａ）〜（ｄ）を参照して、本実施形態に係る第１サイド規制板２、第１ストッパ３、第２ストッパ５の構成について詳細に説明する。なお、図２（ａ），（ｂ）は本実施形態における第１サイド規制板の構成を示す斜視図、図３（ａ）〜（ｄ）は本実施形態における第１及び第２ストッパの動作を示す断面図である。
【００４０】
第１サイド規制板２には、ロック操作部材としての操作レバー６が、回動中心６ｄを支点として回動操作可能となるように軸支されている。操作レバー６の下方におけるカセット本体１ａには、第１サイド規制板２を係止するための第１係止部１９が設けられている。第１係止部１９は、第１及び第２サイド規制板２、４を固定するための基準となる基準部であり、カセット本体１ａに固定して設けられている。
【００４１】
また、第２サイド規制板４には、第２サイド規制板４を係止するための第２係止部２０が設けられている。第２係止部２０は、第２サイド規制板４のラック部４ａから延びて操作レバー６の下方まで届くように形成された支持部４ｂに支持されている。第２サイド規制板４のラック部４ａは、第２サイド規制板４から延長されて操作レバー６の下方まで届くように長く形成されていて、第２係止部２０が設けられている。この第２係止部２０は、第２サイド規制板４から第１係止部１９に隣接する位置（図１参照）まで延長された延長部として構成されている。このように、第２係止部２０は、第２サイド規制板４から一体に延設された支持部４ｂに支持され、支持部４ｂは、第２サイド規制板４のラック部４ａから延長されて設けられている。
【００４２】
第１サイド規制板２には、第１ストッパ３がストッパバネ９ａで下方に付勢された状態で支持されている。カセット本体１ａに設けられた第１係止部１９に、第１ストッパ３がストッパバネ９ａの付勢力で押し付けられることにより、第１サイド規制板２が固定されている。
【００４３】
第１サイド規制板２には、第２ストッパ５がストッパバネ９ｂで下方に付勢された状態で支持されている。第２サイド規制板４に設けられた第２係止部２０に、第２ストッパ５がストッパバネ９ｂの付勢力で押し付けられることにより、第２サイド規制板４の位置が第１サイド規制板２に対して保持される。
【００４４】
なお、操作レバー６、第１係止部１９、第２係止部２０、第１ストッパ３及び第２ストッパ５により、上記サイド規制板２，４をその接離移動位置（サイド規制板２，４を固定したい所望の位置）に一体的にロックするロック手段が構成される。これら第１ストッパ３及び第２ストッパ５は、第１サイド規制板２と共に移動した接離移動位置での操作レバー（ロック操作部材）６の回動操作に連動して第１係止部（基準部）１９と第２係止部（延長部）２０とを同時に係止及び解除可能な係止解除部材を構成する。
【００４５】
操作レバー６の回動中心６ｄの近傍には、図３（ａ），（ｂ）に示すように、フック６ａが設けられている。また、操作レバー６の回動中心６ｄの延長線上の近傍には、図３（ｃ），（ｄ）に示すように、フック６ｂが設けられている。
【００４６】
操作レバー６を矢印Ａ方向に回動操作すると、図２（ｂ）及び図３（ｂ）に示すように、フック６ａは、第１ストッパ３の係合部３ｃと係合しながら回動して第１ストッパ３を上昇させ、第１ストッパ３下端の係止部３ａを第１係止部１９から離間させる。
【００４７】
同様に、図２（ｂ）及び図３（ｄ）に示すように、フック６ｂは、第２ストッパ５の係合部５ｃと係合しながら回動して第２ストッパ５を上昇させ、第２ストッパ５下端の係止部５ａを、第２サイド規制板４に設けられた第２係止部２０から離間させる。
【００４８】
これらにより、第１サイド規制板２と第２サイド規制板４を、シート給送方向ｄと直交する幅方向に移動することが可能な状態になる。
【００４９】
その後、操作レバー６から手を離して解放すると、操作レバー６は、ストッパバネ９ａ，９ｂの付勢力が第１ストッパ３の係合部３ｃ及び第２ストッパ５の係合部５ｃを介して作用されることで、矢印Ｂ方向に回動させられる。
【００５０】
このため、第１ストッパ３がストッパバネ９ａの付勢力でカセット本体１ａの第１係止部１９に押し付けられ、第１サイド規制板２をカセット本体１ａに固定する。同時に、第２ストッパ５がストッパバネ９ｂの付勢力でカセット本体１ａの第２係止部２０に押し付けられ、第２サイド規制板４が、基準部としての第１係止部１９を介してカセット本体１ａに固定された第１サイド規制板２に対して位置決めされる。
【００５１】
以上の構成により、操作レバー６を回動操作するだけで、第１サイド規制板２及び第２サイド規制板４の移動と固定とが可能になるため、ひとつの操作で極めて容易に、シートの幅方向の位置ズレを無くして画像書き込み位置の精度を良好にすることができる。
【００５２】
次に、図４を用いてストッパの係止部の構成について詳細に説明する。なお、図４（ａ），（ｂ）は、本実施形態における第１及び第２ストッパ３，５の係止部３ａ，５ａを示す詳細図である。係止部３ａと係止部５ａの構成、及びこれらに夫々対応する第１係止部１９と第２係止部２０の構成は互いに略同様であるため、図４（ａ），（ｂ）では、同じ図面上で双方を説明する。
【００５３】
第１ストッパ３下端の係止部３ａはカセット本体１ａに設けられた第１係止部１９と、第２ストッパ５下端の係止部５ａはカセット本体１ａに設けられた第２係止部２０と、それぞれに有する山形形状（凹凸形状）が噛み合うことによって係止される。
【００５４】
図４（ａ），（ｂ）に示すように、第１及び第２係止部１９，２０は、垂直面部１９ａ，２０ａと斜面部１９ｂ，２０ｂとを組み合わせたノコギリ歯形状とされている。係止部３ａ，５ａは、垂直面部３ｄ，５ｄと斜面部３ｅ，５ｅとを組み合わせたノコギリ歯形状とされている。
【００５５】
延長部としての第１係止部１９及び基準部としての第２係止部２０は、それぞれ第１ノコギリ歯部として形成されている。係止解除部材としての第１ストッパ３及び第２ストッパ５は、上記第１ノコギリ歯部と係止自在な第２ノコギリ歯部としての係止部３ａ，５ａを有している。
【００５６】
そして、第２ノコギリ歯部としての係止部３ａ，５ａは、上記サイド規制板２，４の間隔を狭くする方向には上記係止部１９，２０を乗り越えて移動可能で、上記サイド規制板２，４の間隔を広くする方向には移動できないように（移動不能に）形成されている。
【００５７】
つまり、第１サイド規制板２と第２サイド規制板４をその幅を狭くする方向に移動させる場合には、操作レバー６を操作せずに第１サイド規制板２を矢印Ｂ方向（図２（ｂ）、図４（ａ））に押すだけの操作を行う。これにより、第１ストッパ３の係止部３ａと第２ストッパ５の係止部５ａにそれぞれ矢印Ｃ方向の力（図４（ａ））が働く。
【００５８】
そのため、第１ストッパ３及び第２ストッパ５の各斜面部３ｅ，５ｅが、第１及び第２係止部１９，２０の各斜面部１９ｂ，２０ｂに対して摺動して押し上げられる。これにより、図４（ｂ）に示すように第１及び第２ストッパ３，５と係止部１９，２０との係止状態（ロック状態）が解除されるため、操作レバー６を操作せずに第１サイド規制板２と第２サイド規制板４との幅を容易に狭くすることができる。
【００５９】
一方、第１サイド規制板２と第２サイド規制板４をその幅を広げる方向に移動させる場合には、操作レバー６を操作せずに第１サイド規制板２を矢印Ａ方向（図２（ｂ））に押しても、第１サイド規制板２は移動しない。つまり、第１ストッパ３及び第２ストッパ５の各垂直面部３ｄ，５ｄが、第１及び第２係止部１９，２０の各垂直面部１９ａ，２０ａに当接して相互の係合は解除されないため、サイド規制板２，４を広げることはできない。
【００６０】
しかし、ここで操作レバー６を矢印Ａ方向（図２（ｂ））に回動操作しながら第１サイド規制板２に矢印Ａ方向の力（図４（ａ））を掛けることで、上記ストッパ３，５の各係止部３ａ，５ａが第１及び第２係止部１９，２０から夫々上昇して外れる（図４（ｂ））。これにより、第１及び第２ストッパ３，５と第１及び第２係止部１９，２０との間のロックが解除されるため、第１サイド規制板２と第２サイド規制板４との幅を広げることができる。
【００６１】
このように、サイド規制板２，４の幅を狭くする方向には操作レバー６の操作をしなくても移動でき、サイド規制板２，４の幅を広くする方向には操作レバー６を押圧操作しながら第１サイド規制板２を移動させることで移動できる。このように、ひとつの動作でサイド規制板２，４を容易に移動させることができる。
【００６２】
また、サイド規制板２，４を広げる方向には、操作レバー６の押圧操作が必要になる。そのため、中板２２上にシートＳを満載した状態のシートカセット１を装置本体１０１に強く挿入した場合に生じやすい次のような不都合を回避することができる。つまり、この場合、シートカセット１挿入時の加速度による慣性力がシートＳに働き、シートＳに働いていた慣性力が挿入の完了時に衝撃となって、サイド規制板２，４が広がる方向（矢印Ａ方向）に力が掛かる。しかし、第１及び第２ストッパ３，５と第１及び第２係止部１９，２０との間のロックは解除されないため、意図せずにサイド規制板２，４が広がる不都合を確実に防止することができる。
【００６３】
以上のような簡単な構成のシートカセット１は、従来のシートカセットと同様に、画像形成装置、プリンタ、ＦＡＸなどのシートを給送搬送する装置に適用することが可能である。また、本発明は、シートカセットに限らず、ものを収納して規制部材があるものであれば、規制部材を固定する簡単な構成として応用できる可能性がある。
【符号の説明】
【００６４】
１…シートカセット、１ａ…カセット本体、２…第１サイド規制部材（第１サイド規制板）、３，５，６，１９，２０…ロック手段（係止解除部材（第１ストッパ），係止解除部材（第２ストッパ），ロック操作部材（操作レバー），基準部（第１ノコギリ歯部，第１係止部），延長部（第１ノコギリ歯部，第２係止部））、２ａ，４ａ…ラック部、３ａ，５ａ…第２ノコギリ歯部（係止部）、４…第２サイド規制部材（第２サイド規制板）、４ｂ…支持部、７ａ，７ａ…ギヤ部材（ピニオンギヤ）、１００…画像形成装置、１０２…画像形成部、Ｓ…シート
【図１】
2014114126.tif 000003
【図２】
2014114126.tif 000004
【図３】
2014114126.tif 000005
【図４】
2014114126.tif 000006
【図５】
2014114126.tif 000007